(57)【特許請求の範囲】
【請求項１】
第１の機能を備え、装置本体の最後部よりもその反対側の装置本体の前端部に近づいた第１の位置に設けられた第１の回転軸を中心として所定の角度範囲で開閉する開閉蓋をその上部に配置すると共に、前記第１の位置よりも前記最後部側に寄った第２の位置に第２の回転軸を備えた第１の装置と、
前記第１の機能と異なる第２の機能を備え、前記第１の装置よりも上側に配置されていて、前記第２の回転軸を中心として開閉し、閉じたときにそれ自体が水平に配置される第２の装置と、
この第２の装置が閉じた状態で前記第１の位置よりも前記前端部に近づいた第２の装置の側部に位置する第３の位置を回動自在な一端として、第２の装置の第３の位置から垂直方向に向かったときの前記開閉蓋の側部に位置する第４の位置と前記第３の位置の間を連結する連結手段
とを具備することを特徴とする複合処理装置。
【請求項２】
前記連結手段は、連結を解除する連結解除機構を具備することを特徴とする請求項１記載の複合処理装置。
【請求項３】
前記連結手段は、金属製のリンク部材であり、前記第４の位置で、このリンク部材が回動自在な状態で第１の装置の開閉蓋に取り付けられていることを特徴とする請求項２記載の複合処理装置。
【請求項４】
前記連結手段は、柔軟に変形でき大きく伸縮しない帯状部材であり、前記第４の位置で、この帯状部材が第１の装置の開閉蓋に取り付けられていることを特徴とする請求項２記載の複合処理装置。
【請求項５】
前記第２の装置が所定の角度開いた状態でロックするロック機構を具備することを特徴とする請求項１記載の複合処理装置。
【請求項６】
前記第１の装置はプリンタであり、第２の装置は読取装置であることを特徴とする請求項１記載の複合処理装置。
【発明の詳細な説明】
【技術分野】
【０００１】
本発明は、上部に原稿読取部を備えた複写機、ファクシミリ装置等の複合処理装置に係わり、特に筐体の構造に特徴を持った複合処理装置に関する。
【背景技術】
【０００２】
コンピュータや通信機器がオフィスや家庭の隅々まで普及しており、これと共にコンピュータの周辺装置やファクシミリあるいはスキャナ等の各種の入出力装置が数多く使用されるようになっている。この結果として、これらの周辺装置や入出力装置の配置スペースの削除が問題となっており、幾つかの装置を統合した（組み合わせた）形の複合処理装置の製品化が盛んになっている。たとえば、プリンタとスキャナを組み合わせた装置は、これらの画像処理を連携させることで複写機としての機能も併せ持たせることができる。これにより、プリンタ、スキャナおよび複写機を１つの装置に統合することができる。したがって、このような複合処理装置を購入することで、設置スペースを大幅に減少させることができる。
【０００３】
複合処理装置は、このように大きな利点を有するものの、スペースの節約のために、複合された機能部分を積み上げた構造となる場合が多い。したがって、下側に配置された機能部は、上側に他の機能部が配置される結果として、取り扱いが不便となる場合がある。たとえば、図示しないプリンタの上に同じく図示しないスキャナが配置された複合処理装置があるものとし、プリンタに内蔵されたトナーカートリッジをプリンタ上側から交換するような場合である。この場合にはプリンタのすぐ上にスキャナが存在したままではトナーカートリッジを交換することができない。そこで、従来ではスキャナの一端をプリンタの上部の適宜の位置に回動自在に取り付けておき、スキャナの他端側を持ち上げて適宜の位置でロックすることで、プリンタの上部空間を確保するようにしている。この状態で、プリンタ上部の図示しない部品を開いたり取り外すことで、内部に配置されたトナーカートリッジの交換が可能になる。
【０００４】
ところが、このような作業では、スキャナを持ち上げてプリンタの上部空間を確保する第１段階目の操作と、プリンタの上部を開いたり取り外す第２段階目の操作を必要とする。このため、作業の迅速性を欠く。そこで、１アクションでこのような操作を行うことが提案されている（たとえば特許文献１参照）。
【０００５】
図６〜図８は、この提案のプリンタを示したものである。このうち、図６はプリンタ１０の外装カバー１１が本体フレーム１２の上を覆うように配置された状態を表わしている。本体フレーム１２と外装カバー１１の間にはプリンタ機構のヘッドユニット１３が配置されている。ヘッドユニット１３の図で左端部分には支持軸１４が取り付けられている。したがって、ヘッドユニット１３はこの支持軸１４を中心に回動できるようになっている。ヘッドユニット１３における支持軸１４の斜め上には連結シャフト１５が配置されている。上端を外装カバー１１に取り付けた連結部材１６の長穴１７を、この連結シャフト１５が貫通している。
【０００６】
図７は、外装カバー１１の一端を矢印１９方向にわずかに持ち上げた状態を表わしたものである。外装カバー１１は支持軸１４と反対側が持ち上がっているが、連結部材１６の長穴１７の中を連結シャフト１５が移動しただけなので、ヘッドユニット１３は本体フレーム１２の上にそのまま残っている。したがって、この状態でヘッドユニット１３を交換することができる。
【０００７】
図８は、外装カバー１１の一端をその上限位置まで持ち上げた状態を表わしたものである。連結シャフト１５が連結部材１６の長穴１７の下端部まで移動した後は、外装カバー１１の一端が更に矢印１９方向に回転するのに伴って、ヘッドユニット１３は支持軸１４を中心に回動している。これにより、本体フレーム１２の上側とヘッドユニット１３の間に作業空間が確保されることになる。
【特許文献１】特開２００４−２０９７２２号公報（第００２６段落、図５）
【発明の開示】
【発明が解決しようとする課題】
【０００８】
このように図６〜図８に示したプリンタ１０では、外装カバー１１を矢印１９方向に開けていくことで、ヘッドユニット１３をこれに連動させて持ち上げることができる。したがって、作業者が複数段階の操作を行って装置を開けていくことを要しない。
【０００９】
ところが、この図６〜図８に示した提案では、全体的な装置の内部からヘッドユニット１３を取り出すことができるようにするために、図７に示すように、外装カバー１１の一端を矢印１９方向に持ち上げる初期段階ではヘッドユニット１３が持ち上がらない構造となっている。このために、図８に示すように外装カバー１１を開いた角度よりもヘッドユニット１３が開く角度がはるかに小さくなる。このため、本体フレーム１２の上部に広い作業空間を設けることが困難であり、作業効率がよくないという問題がある。
【００１０】
そこで本発明の目的は、上側の装置を上方向に開くように回転させたとき、下側の装置の上部に位置する開閉蓋を上側の装置の開く角度以上に広く開くことのできる複合処理装置を提供することにある。
【課題を解決するための手段】
【００１１】
本発明では、（イ）第１の機能を備え、装置本体の最後部よりもその反対側の装置本体の前端部に近づいた第１の位置に設けられた第１の回転軸を中心として所定の角度範囲で開閉する開閉蓋をその上部に配置すると共に、第１の位置よりも最後部側に寄った第２の位置に第２の回転軸を備えた第１の装置と、（ロ）前記した第１の機能と異なる第２の機能を備え、前記した第１の装置よりも上側に配置されていて、前記した第２の回転軸を中心として開閉し、閉じたときにそれ自体が水平に配置される第２の装置と、（ハ）この第２の装置が閉じた状態で前記した第１の位置よりも前記した前端部に近づいた第２の装置の側部に位置する第３の位置を回動自在な一端として第２の装置の第３の位置から垂直方向に垂らされ、前記した開閉蓋の側部に位置する第４の位置との間を連結する連結手段とを複合処理装置に具備させる。
【発明の効果】
【００１４】
以上説明したように本発明によれば、複合処理装置を構成する下側に配置される第１の装置に開閉蓋が存在する場合、第１の装置の上に配置される第２の装置を持ち上げるように回転軸を中心に回転させれば、第１の装置の開閉蓋がこの回転角よりも大きく回転することになる。したがって、第２の装置を大きく開閉することなく、第１の装置の内部の部品を交換したり、内部の点検や障害の原因を除く処置を行うことができ、簡単な機構で作業の効率化を図ることができる。
【発明を実施するための最良の形態】
【００１５】
以下実施例につき本発明を詳細に説明する。
【実施例１】
【００１６】
図１は、本発明の実施例におけるスキャナとプリンタの複合された複合処理装置を側面から見たものである。この複合処理装置３０は、プリンタ本体３１と、その図示しないフレームの所定位置から上側に突出するように配置された第１のフレーム突出部３２に回動自在に取り付けられた第１の回転軸３３を中心にして開閉自在とした開閉蓋３４を備えている。プリンタ本体３１の図で右端に位置する最後部の近傍には、第２のフレーム突出部３５が突出しており、これに取り付けられた第２の回転軸３６を中心として、Ｌ字を１８０度回転させたような形状の読取装置３７が回動自在に配置されている。ただし、読取装置３７は、図示しない回転角制御機構によって、読取装置裏面３８が装置の前端部側（図で左端側）で水平方向よりも下方向に回転できないようになっている。すなわち、読取装置３７は通常の使用状態で水平に配置されており、プリンタ本体３１の開閉蓋３４を開くように上部空間を確保したい場合に、矢印３９に示す角度範囲で開閉できるようになっている。
【００１７】
読取装置３７の側部でやや正面に近づいた位置には平板状の金属からなるリンク部材４１の上端部がネジ４２によって回動自在に取り付けられている。リンク部材４１の下端部近傍には長穴４３がこの部材の長手方向に沿って開口している。この長穴４３には、頭部がこの穴の幅よりも若干大きくネジ棒の直径がこの穴の幅よりも小さなネジ４４が、長穴４３の内部を移動自在な状態で取り付けられている。読取装置３７はこの図１に示したように読取装置裏面３８が水平となる状態で使用される。このとき、読取装置裏面３８と開閉蓋３４の間に生じている空間４６は、プリンタ本体３１から排出されるプリント済の図示しない用紙の収容のために利用されている。
【００１８】
本実施例の複合処理装置３０は、読取装置３７で画像を読み取ることができるだけでなく、図示しないケーブルでプリンタ本体３１に送ってプリントアウトすることができる。これにより、スキャナやプリンタとしての機能だけでなく、複写機としての機能も実現されることになる。プリンタ本体３１は、サーマルヘッドを有する感熱式のもの、インクジェット方式のもの、静電写真記録方式を用いるものといった各種の記録方式を持つものを使用することができる。スキャナも図示しない読取素子が移動して原稿を走査するものだけでなく、シート状の原稿が移動して走査が行われるものや、２次元読取素子を使用して画像を一度に撮影するものも含まれる。
【００１９】
図２は、本実施例の複合処理装置の読取装置の端部を持ち上げたときの各部の動きを表わしたものである。図１と同様に左端が装置の正面側（前端部）であり、右端が最後部である。たとえばプリンタ本体３１に内蔵された図示しないトナーカートリッジやインクの交換を行う必要性が発生したり、内部で発生したジャム（紙詰まり）による用紙の除去を行う必要性が発生したとする。このような場合、作業者は読取装置３７の前端部側を矢印５１で示したように持ち上げる動作を開始する。
【００２０】
これにより、読取装置３７は第２の回転軸３６を中心として回転を開始する。すると、リンク部材４１がこれに連れて上方に移動し、長穴４３の下端がネジ４４と接触した時点から開閉蓋３４に上向きの力が加わる。この時点から、読取装置３７の上向きの移動と共に開閉蓋３４が第１の回転軸３３を中心として矢印５２方向に回転を開始する。このとき、読取装置３７は第２の回転軸３６を中心として回転するが、開閉蓋３４の方はこれよりも複合処理装置３０の正面側により近い第１の回転軸３３を中心にして回転することになる。このように両者の回転支点の位置が複合処理装置３０の奥行き方向で異なっているので、開閉蓋３４は時計方向の回転を開始した後は読取装置３７の回転量よりも大きな回転量で回転する。リンク部材４１は、読取装置３７と開閉蓋３４の回転量の相違を調整するように、ネジ４２を中心に、同様に時計方向に回転することになる。
【００２１】
この結果として、図２に示したように読取装置３７の端部がある程度持ち上げられたときの水平方向とのなす回転角θ1よりも、このときの開閉蓋３４の回転角θ2の方が遥かに大きくなる。すなわち、作業者はプリンタ本体３１と開閉蓋３４の間に広い作業領域を確保することができる。したがって、図示しないロック機構で読取装置３７を開いた状態でロックすれば、開閉蓋３４を大きく開いた状態でトナーカートリッジの交換等の作業を行えばよい。作業終了後は、ロック機構を解除して読取装置３７を元の位置に戻せば、開閉蓋３４も重力の作用で元に戻ることになる。
【００２２】
＜発明の第１の変形例＞
【００２３】
図３は、本発明の第１の変形例における複合処理装置を側面から見たものである。図３に示した複合処理装置３０Ａで図１と同一部分には同一の符号を付しており、これらの説明を適宜省略する。この第１の変形例では、先端がＬ字状の鈎（かぎ）部６１1となった連結金具６１の先端をネジ４２によって回動自在に取り付けている。鈎部６１1は、開閉蓋３４Ａの側面から突出した円柱状の突起６２の外周面と摺接するように、部分的に円弧をなすように加工されている。この図では複合処理装置３０Ａの一方の側面を示しているが、他方の側面でも、同様の形状の図示しない連結金具が図示しない同様の突起と掛合している。
【００２４】
この第１の変形例の複合処理装置３０Ａでも、作業者が読取装置３７の正面（図で左側）側の端部を持ち上げると、連結金具６１によって開閉蓋３４Ａも持ち上げられる。読取装置３７および開閉蓋３４Ａの開閉角度については、図２で説明した実施例と基本的に同様である。
【００２５】
この変形例の複合処理装置３０Ａでは、作業者が図３に示した装置の通常の配置状態で作業者が読取装置３７の手前側を矢印６４で示すような力を加えながら連結金具６を矢印６５方向に引っ張ることによって、連結金具６１と突起６２の掛合を簡単に解除することができる。複合処理装置３０Ａの図示しない他の面の連結金具と突起の掛合についても同様である。
【００２６】
図４は、このように装置の両側面での連結金具と突起の掛合を解除した状態で、読取装置のみを開閉する様子を表わしたものである。この図に示すように、この場合には読取装置３７を矢印６７で示すように開閉しても開閉蓋３４Ａはプリンタ本体３１から持ち上げられることはない。すなわち、第１の変形例の複合処理装置３０Ａでは、読取装置３７のみを単独で持ち上げて図示しないロック機構でロックすることができる。したがって、この状態で読取装置裏面３８の清掃を行ったり、プリンタ本体３１の必要なメンテナンスを行うことができる。
【００２７】
なお、連結金具６１を再び突起６２と掛合させるためには、読取装置３７を図３に示すように水平状態に保った状態でその手前側を矢印６４で示すような力を加えながら、連結金具６１に矢印６５方向とは反対方向の力を加えて、突起６２と掛合させるようにすればよい。
【００２８】
＜発明の第２の変形例＞
【００２９】
図５は、本発明の第２の変形例における連結金具と複合処理装置の連結状態を表わしたものである。図５で図３と同一部分には同一の符号を付しており、その部分の説明を適宜省略する。この第２の変形例の複合処理装置３０Ｂでは、第１の変形例の複合処理装置３０Ａと同様に連結金具６１Ｂを必要に応じて開閉蓋３４Ｂから切り離すことができる。そのために開閉蓋３４Ｂの側面からは円柱状の突起７１が突出しており、この突起７１と対応するの連結金具６１Ｂには窪み６１Ｂ1が形成されている。窪み６１Ｂ1の代わりに穴であってもよい。
【００３０】
この第２の変形例の場合にも、連結金具６１Ｂの窪み６１Ｂ1に突起７１が遊嵌した状態で読取装置３７を持ち上げると、開閉蓋３４Ｂが持ち上がる。読取装置３７および開閉蓋３４Ａの開閉角度については、図２で説明した実施例と基本的に同様である。また、図示しないレバー等の連結解除機構を使用して連結金具６１Ｂを撓ませ、窪み６１Ｂ1から突起７１を離脱させることで、読取装置３７のみを単独で持ち上げることもできる。
【００３１】
＜発明のその他の変形可能性＞
【００３２】
以上説明した実施例および変形例では、読取装置３７と開閉蓋３４、３４Ａ、３４Ｂとを、リンク部材４１あるいは連結金具６１、６１Ｂで連結状態にすることにしたが、このような連結手段は金属やプラスチック、木材等の剛性を保つ材料で必ずしも構成される必要はない。それ自体が柔軟に変形でき、かつ大きく伸縮しない帯状部材としてのバンドや鎖、各種の紐あるいはロープであってもよい。たとえば、複合処理装置を木目調として、連結手段を古風な縄のような材料を使用してもよい。特に鎖や縄の場合には読取装置３７に上端を固定しておくだけで、下端側は開閉蓋３４から突出した突起や引っ掛け用の金具に着脱自在であり、機構が一層単純化するという利点がある。
【００３３】
なお、以上説明した実施例および変形例では、読取装置とプリンタを組み合わせた複合処理装置について説明したが、このような組み合わせに限るものではないことは当然である。たとえば読取装置の代わりに、プリント済みの用紙をラミネート加工する装置としてのラミネータや、簡易型のサーバ等のように比較的保守が頻繁に発生しない電子機器や、単に物入れが用いられてもよい。プリンタの配置された装置の方も、ファクシミリ装置、コンピュータ本体、ディスプレイ等の各種の電子機器に置き換えることができる。
【図面の簡単な説明】
【００３４】
【図１】本発明の実施例におけるスキャナとプリンタの複合された複合処理装置の側面図である。
【図２】本実施例で読取装置の端部を持ち上げたときの各部の動きを表わした説明図である。
【図３】本発明の第１の変形例における複合処理装置の側面図である。
【図４】第１の変形例で連結金具と突起の掛合を解除した状態で読取装置のみを開閉する様子を表わした側面図である。
【図５】本発明の第２の変形例における連結金具と複合処理装置の連結状態を表わした要部断面図である。
【図６】従来の提案のプリンタの外装カバーが本体フレームに覆うように配置された状態を表わす要部断面図である。
【図７】図６の装置の外装カバーの一端をわずかに持ち上げた状態を表わした要部断面図である。
【図８】図６の装置の外装カバーの一端をその上限位置まで持ち上げた状態を表わした要部断面図である。
【符号の説明】
【００３５】
３０、３０Ａ、３０Ｂ  複合処理装置
３１  プリンタ本体
３３  第１の回転軸
３４、３４Ａ  開閉蓋
３６  第２の回転軸
３７  読取装置
４１  リンク部材
４２、４４  ネジ
６１、６１Ｂ  連結金具
６１1  鈎部
６１Ｂ1  窪み
６２  突起
【図１】
0004516912.tif 000002
【図２】
0004516912.tif 000003
【図３】
0004516912.tif 000004
【図４】
0004516912.tif 000005
【図５】
0004516912.tif 000006
【図６】
0004516912.tif 000007
【図７】
0004516912.tif 000008
【図８】
0004516912.tif 000009